(57)【要約】【課題】空気調和機用熱交換器の係合部に生成する凝縮水を確実に処理する。【解決手段】多数枚のフィン２の両端部にフィン２と平行方向に設けられる２つの管板の内、第２の管板４ｂ即ち、伝熱管１のもう一方がＵ字型に折り返されたリターン側の管板４ｂに設けたＵ字部に係合する係合部５の鉛直下面に切り欠き６を設けたことにより、係合部５に生成する凝縮水を下方に導くことができ、居住部や充電部へと凝縮水が伝播することなく確実に処理され、故障等の少ない空気調和機を提供できる。【選択図】図２
2006207879.tif 000002
【特許請求の範囲】
【請求項１】
多数枚のフィンの両端部に前記フィンと平行方向に設けられる第１の管板、第２の管板を有し、前記第１の管板は前記フィンを挿通する多数の伝熱管で一体化され、前記第２の管板は、前記伝熱管のもう一方がＵ字型に折り返されたリターン側のＵ字部に係合する係合部を有し、前記係合部の鉛直下面に切り欠きを有することを特徴とする空気調和機用熱交換器。
【請求項２】
係合部の鉛直下面に設けられた切り欠きの鉛直下方にリブを有する請求項１に記載の空気調和機用熱交換器。
【請求項３】
第２の管板のフィン側の面に、フィンの外縁と平行にリブを設けたことを特徴とする請求項１または２に記載の空気調和機用熱交換器。
【請求項４】
第２の管板のフィン側の面に、フィンとの間隔が上方で広く下方で狭い、単一または二つ以上の直線状のリブを設けたことを特徴とする請求項１または２に記載の空気調和機用熱交換器。
【請求項５】
第２の管板のフィン側の面に設けられたリブの突出寸法が上方で小さく下方で大きくしたことを特徴とする請求項３または４に記載の空気調和機用熱交換器。
【発明の詳細な説明】
【技術分野】
【０００１】
本発明は、空気調和機用熱交換器に関するものであり、より詳しくは冷房運転時における結露水処理に関するものである。
【背景技術】
【０００２】
従来、この種の空気調和機用熱交換器は、伝熱管に対し、複数枚のフィンを重合してなる複数の熱交換器モジュールを両端側の管板を介して所定の間隔で並設一体化して成るもので、管板は、管板本体と、管板本体に設けられた各熱交換器モジュールのフィン端部を嵌合する複数列の嵌合溝と、嵌合溝内に形成された伝熱管端部嵌合穴とからなり、同構成における嵌合溝は、その両縁部がフィン端部を挟着する挟着弾性を有して形成されている（例えば、特許文献１参照）。
【０００３】
図７は、特許文献１に記載された従来の空気調和機用熱交換器の全体構造を示す下方から見た斜視図である。図７に示すようにフィン２、伝熱管１、熱交換器モジュール３、管板４、嵌合溝１１、嵌合穴１２とから構成されている。
【特許文献１】特開平６−３０７７８６号公報
【発明の開示】
【発明が解決しようとする課題】
【０００４】
しかしながら、前記従来の構成では、管板４が、本体と、本体に設けられた各熱交換器モジュール３ａ、３ｂ、３ｃのフィン２端部を嵌合する複数列の嵌合溝１１と、嵌合溝１１内に形成された伝熱管１端部嵌合穴１２とから構成されており、熱交換器モジュールの各列ごとに構成された熱交換器に対し、後工程で管板４を嵌合装着する場合、管板４に各列ごとに対応して形成された嵌合溝１１に沿わせて熱交換器をスライドして伝熱管１の穴位置まで移動させた後、下方に押し込み、フィン２端部が嵌合溝１１の両縁部での挾着する挾着弾性固定なので、押し込み方向の逆の抜き方向にたいしては容易にぬけてしまう。
【０００５】
この強度を確保するよう、伝熱管のリターン側のＵ字部に係合する係合部を有した場合、係合部の内側には伝熱管が配設されているため、空気調和機が冷房運転される場合の室内側においては、伝熱管は冷却され、表面には凝縮水が生成し、係合部内に凝縮水が蓄積する。その結果、係合部内部での許容水保持容量を超えたとき、凝縮水は熱交換器外部へと滴下し、熱交換器の下部に配置される水受け皿の外部へと滴下した場合は、居住部への水の滴下や、空気調和機内部の充電部へと凝縮水が伝播することがあるという課題を有していた。
【０００６】
本発明は、前記従来の課題を解決するもので、熱交換器への組付け性を容易に保ったまま、熱交換器の特に管板部に生成する凝縮水を確実に処理し、居住部や充電部へと凝縮水が伝播することのない空気調和機用熱交換器を提供することを目的とする。
【課題を解決するための手段】
【０００７】
前記従来の課題を解決するために、本発明の空気調和機用熱交換器は、多数枚のフィンの両端部にフィンと平行方向に設けられる２つの管板の内、Ｕ字型に折り返されたリターン側の管板に設けたＵ字部に係合する係合部の鉛直下面に切り欠きを設けたものである。
【０００８】
これによって、係合部に生成する凝縮水を確実に下方に導き、熱交換器の下部に配置される水受け皿で処理することができる。
【発明の効果】
【０００９】
本発明の空気調和機用熱交換器は、熱交換器の特に管板部に生成する凝縮水を確実に処理し、居住部や充電部へと凝縮水が伝播することがなく、故障等の少ない空気調和機を提供することができる。
【発明を実施するための最良の形態】
【００１０】
第１の発明は、多数枚のフィンの両端部にフィンと平行方向に設けられる２つの管板の内、第２の管板即ち、伝熱管のもう一方がＵ字型に折り返されたリターン側の管板に設けたＵ字部に係合する係合部の鉛直下面に切り欠きを設けたことにより、係合部に生成する凝縮水を下方に導くことができる。
【００１１】
第２の発明は、特に、第１の発明の係合部の鉛直下面に設けられた切り欠きの鉛直下方にリブを設けたことにより、係合部に生成する凝縮水をリブに沿って下方に導くことができる。
【００１２】
第３の発明は、特に、第１または第２の発明の第２の管板のフィン側の面に、フィンの外縁と平行にリブを設けたことによって、フィンと第２の管板の境界部に生成した凝縮水をリブに沿って導き流すことができる。
【００１３】
第４の発明は、特に、第１または第２の発明の第２の管板のフィン側の面に、フィンとの間隔が上方で広く下方で狭い、単一または二つ以上の直線状のリブを設けたことによって、凝縮水をリブからフィンへと導き流すことができる。
【００１４】
第５の発明は、特に、第３または第４の発明の第２の管板のフィン側の面に設けられたリブの突出寸法が上方で小さく下方で大きくしたことによって、下方に行くに従って蓄積成長し、大きくなる水滴を確実に保持することができる。
【００１５】
以下、本発明の実施の形態について、図面を参照しながら説明する。なお、この実施の形態によって本発明が限定されるものではない。
【００１６】
（実施の形態１）
図１は、本発明の第１の実施の形態における空気調和機用熱交換器の斜視図、図２は同熱交換器の要部斜視図を示すものである。
【００１７】
図１において、熱交換器の全体的な構造を示し、内側に冷媒が流通される伝熱管１は、複数枚所定の間隔を保って重合固着されたフィン２に挿通されている。これら伝熱管１とフィン２からなる２組の熱交換器モジュール３ａ、３ｂが各々形成されている。熱交換器３の右端部の第１の管板４ａと、熱交換器３の左端部の第２の管板４ｂがそれぞれ、熱交換器３の両端部に係合固定されている。
【００１８】
第２の管板４ｂには図２に示すように、複数組の熱交換器モジュール３ａ、３ｂの伝熱管１のＵ字型に折り返されたリターン側のＵ字部に係合するための複数の係合部５が形成されて、この係合部５の、鉛直下面に切り欠きによる溝６が設けてある。
【００１９】
空気調和機の冷房運転において、冷媒によって伝熱管１が冷却されたとき、伝熱管１表面に凝縮水が生成し、係合部５内部に凝縮水は蓄積されるが、溝６から管板４ｂ表面に沿って凝縮水は下方の水受け皿９へと導かれ、居住部や充電部へと凝縮水が伝播することなく確実に処理される。
【００２０】
以上のように、本実施の形態においては、多数枚のフィンの両端部にフィンと平行方向に設けられる２つの管板の内、第２の管板即ち、伝熱管のもう一方がＵ字型に折り返されたリターン側の管板に設けたＵ字部に係合する係合部の鉛直下面に切り欠きを設けたことにより、係合部に生成する凝縮水を下方に導くことができ、居住部や充電部へと凝縮水が伝播することなく確実に処理され、故障等の少ない空気調和機を提供することができる。
【００２１】
（実施の形態２）
図３は、本発明の第２の実施の形態の空気調和機用熱交換器の要部斜視図である。
【００２２】
複数組の熱交換器モジュール３ａ、３ｂの伝熱管１のＵ字型に折り返されたリターン側のＵ字部に係合するための複数の係合部５が形成され、この係合部５の鉛直下方に切り欠きによる溝６が設けてあり、さらに溝６に相対してリブ７が、下方にいくにしたがってその高さを減じる様に設けられている。
【００２３】
空気調和機の冷房運転において、冷媒によって伝熱管１が冷却されたとき、伝熱管１表面に凝縮水が生成し、係合部内部に凝縮水は蓄積されるが、溝６からリブ７を介し、管板４へと導かれ、管板４の表面に沿って凝縮水は下方の水受け皿へと導かれ、居住部や充電部へと凝縮水が伝播することなく確実に処理される。
【００２４】
以上のように、本実施の形態においては、係合部の鉛直下面に設けられた切り欠きの鉛直下方にリブを設けたことにより、係合部に生成する凝縮水を下方に導くことができ、居住部や充電部へと凝縮水が伝播することなく確実に処理され、故障等の少ない空気調和機を提供することができる。
【００２５】
（実施の形態３）
図４は、本発明の第３の実施の形態の空気調和機用熱交換器の要部断面図を示すものである。
【００２６】
管板４ｂのフィン２側の面に、フィン縁部２ａと平行にリブ８を設けたものである。空気調和機の冷房運転において、冷媒によって伝熱管１が冷却されたとき、管板４ｂにおいても伝熱管１及びフィン２との接触部が冷却され凝縮水を生成する。生成した凝縮水は次第に蓄積膨張し、やがて下方へと流れ出すが、リブ８とフィン２からなる隙間に凝縮水は保持されつつ、フィン端部２ａまたはリブ８に沿って流れ、その後、熱交換器下部に設けられた水受け皿９へと導かれ、居住部や充電部へと凝縮水が伝播することなく確実に処理される。
【００２７】
以上のように、本実施の形態においては、第２の管板のフィン側の面に、フィンの外縁と平行にリブを設けたことにより、第２の管板に生成する凝縮水を下方に導くことができ、居住部や充電部へと凝縮水が伝播することなく確実に処理され、故障等の少ない空気調和機を提供することができる。
【００２８】
また、本実施の形態のリブ８の形状を突出寸法が上方で小さく下方で大きくしてもよい。
【００２９】
図５は図４中の要部矢視Ａ図を示したものであり、ここでリブ８の突出寸法を説明するものである。リブ８の突出寸法は上方で小さく下方で大きくしてある。空気調和機の冷房運転時における凝縮水の処理についてはすでに説明したが、生成した凝縮水は次第に蓄積膨張し、やがて下方へと流れ出すと、その経路上の微細な水滴を取り込み成長していくものである。したがってリブ８の突出寸法を下方で大きくすることで、成長した水滴であっても、確実に保持、誘導しうるものとなる。
【００３０】
（実施の形態４）
図６は、本発明の第４の実施の形態の空気調和機用熱交換器の要部断面図を示すものである。
【００３１】
管板４ｂのフィン２側の面に、フィン２との間隔が上方で広く下方で狭い、単一または二つ以上の直線状のリブ１０を設けたものである。空気調和機の冷房運転において、冷媒によって伝熱管１が冷却されたとき、管板４ｂにおいても伝熱管１及びフィン２との接触部が冷却され凝縮水を生成する。生成した凝縮水は次第に蓄積膨張し、やがて下方へと流れ出すが、リブ１０によって受け止められた後、リブ１０に沿って流れ、フィン２へと導かれる。さらにその後、熱交換器下部に設けられた水受け皿９へと導かれ、居住部や充電部へと凝縮水が伝播することなく確実に処理される。
【００３２】
以上のように、本実施の形態においては、第２の管板のフィン側の面に、フィンとの間隔が上方で広く下方で狭い、単一または二つ以上の直線状のリブを設けたことにより、第２の管板に生成する凝縮水を下方に導くことができ、居住部や充電部へと凝縮水が伝播することなく確実に処理され、故障等の少ない空気調和機を提供することができる。
【００３３】
また、本実施の形態のリブ１０の形状を、図５で表すように突出寸法が上方で小さく下方で大きくしてもよい。
【産業上の利用可能性】
【００３４】
以上のように、本発明にかかる空気調和機用熱交換器は、左管板の凝縮水処理が確実に行えるようになるので、空気調和機の室内、室外側の熱交換器の構造に適用できる。
【図面の簡単な説明】
【００３５】
【図１】本発明の実施の形態１における空気調和機用熱交換器の斜視図
【図２】本発明の実施の形態１における空気調和機用熱交換器の要部斜視図
【図３】本発明の実施の形態２における空気調和機用熱交換器の要部斜視図
【図４】本発明の実施の形態３における空気調和機用熱交換器の断面図
【図５】本発明の実施の形態３における同熱交換器の要部矢視Ａ図
【図６】本発明の実施の形態４における空気調和機用熱交換器の断面図
【図７】従来の空気調和機用熱交換器の斜視図
【符号の説明】
【００３６】
１  伝熱管
２  フィン
２ａ  フィン縁部
３  熱交換器
３ａ  熱交換器モジュール
３ｂ  熱交換器モジュール
３ｃ  熱交換器モジュール
４  管板
４ａ  第１の管板
４ｂ  第２の管板
５  係合部
６  溝
７  リブ
８  リブ
９  水受け皿
１０  リブ
１１  嵌合溝
１２  嵌合穴
【図１】
2006207879.tif 000003
【図２】
2006207879.tif 000004
【図３】
2006207879.tif 000005
【図５】
2006207879.tif 000006
【図６】
2006207879.tif 000007
【図７】
2006207879.tif 000008
【図４】
2006207879.tif 000009